(57)【要約】  【課題】  非常に優れた防犯効果をもつ引戸錠を提供すること。  【解決手段】  引戸の召し合わせの外框１と内框２とに設けられる引戸錠であって、外框１の屋内側に受穴３を設ける一方、内框２内に、常に屋外側に前進する方向に付勢されるラッチボルト５と、このラッチボルト５の前進限界位置を規制する規制部材９と、この規制部材９を前後方向に移動させて前記ラッチボルト５の前進限界位置を調整する操作部材１７と、この操作部材１７を第一姿勢および第二姿勢に切り換える切換機構とを備え、前記操作部材１７が第一姿勢のときには、規制部材９およびラッチボルト５の前進限界位置が前側に移動し、ラッチボルト５が内框２の屋外側に突出して前記受穴３内に進入可能な状態となり、第二姿勢のときには、規制部材９およびラッチボルト５の前進限界位置が後側に移動し、ラッチボルト５が内框２内に後退して受穴３内に進入不可能な状態となるように構成してある。  【選択図】  図１
2006052577.tif 000002
【特許請求の範囲】
【請求項１】
引戸の召し合わせの外框と内框とに設けられる引戸錠であって、外框の屋内側に受穴を設ける一方、内框内に、常に屋外側に前進する方向に付勢されるラッチボルトと、このラッチボルトの前進限界位置を規制する規制部材と、この規制部材を前後方向に移動させて前記ラッチボルトの前進限界位置を調整する操作部材と、この操作部材を第一姿勢および第二姿勢に切り換える切換機構とを備え、前記操作部材が第一姿勢のときには、規制部材およびラッチボルトの前進限界位置が前側に移動し、ラッチボルトが内框の屋外側に突出して前記受穴内に進入可能な状態となり、第二姿勢のときには、規制部材およびラッチボルトの前進限界位置が後側に移動し、ラッチボルトが内框内に後退して受穴内に進入不可能な状態となるように構成してあることを特徴とする引戸錠。
【請求項２】
前記規制部材とラッチボルトは、それぞれが単独に所定範囲内のスライド可能な状態で連結されており、また、前記操作部材は、規制部材の移動方向に垂直な方向の軸まわりに回動する回動体と、この回動体に連設されたつまみ部とを備え、このつまみ部の回動操作による回動体の回動に連動して前記規制部材が前後方向に移動するように規制部材の後端部を回動体に軸支してあり、さらに、前記切換機構が、前記回動体の近傍に設けられた板ばねと、前記つまみ部に当接して回動体の回動範囲を制限する制限部と、前記回動体に設けられこの回動体の回動に伴って前記板ばねに当接して弾性変形させる突起体とを備え、操作部材が前記第一姿勢と第二姿勢との間の姿勢をとるときに板ばねから突起体に加えられる付勢により回動体が回動し、操作部材が第一姿勢または第二姿勢のいずれかの姿勢に復帰するように構成されている請求項１に記載の引戸錠。
【発明の詳細な説明】
【技術分野】
【０００１】
本発明は、引違式の窓戸などの引戸に用いられる引戸錠に関する。
【背景技術】
【０００２】
従来より、窓やテラス等に設置される引違式のガラス戸の錠として、所謂クレセント錠が広く普及している。
【発明の開示】
【発明が解決しようとする課題】
【０００３】
そして、近年、前記引違式のガラス戸の屋外側からクレセント錠の位置を目視で確認した上、ガラス戸のサッシに嵌め込まれたガラスを破壊し、破壊部分から手を差し込んで前記クレセント錠を不正に解錠する犯罪が急増している。
【０００４】
本発明は上述の事柄に留意してなされたもので、その目的は、非常に優れた防犯効果をもつ引戸錠を提供することである。
【課題を解決するための手段】
【０００５】
上記目的を達成するために、本発明の引戸錠は、引戸の召し合わせの外框と内框とに設けられる引戸錠であって、外框の屋内側に受穴を設ける一方、内框内に、常に屋外側に前進する方向に付勢されるラッチボルトと、このラッチボルトの前進限界位置を規制する規制部材と、この規制部材を前後方向に移動させて前記ラッチボルトの前進限界位置を調整する操作部材と、この操作部材を第一姿勢および第二姿勢に切り換える切換機構とを備え、前記操作部材が第一姿勢のときには、規制部材およびラッチボルトの前進限界位置が前側に移動し、ラッチボルトが内框の屋外側に突出して前記受穴内に進入可能な状態となり、第二姿勢のときには、規制部材およびラッチボルトの前進限界位置が後側に移動し、ラッチボルトが内框内に後退して受穴内に進入不可能な状態となるように構成してあることを特徴としている（請求項１）。
【０００６】
より具体的には、前記引戸錠において、前記規制部材とラッチボルトは、それぞれが単独に所定範囲内のスライド可能な状態で連結されており、また、前記操作部材は、規制部材の移動方向に垂直な方向の軸まわりに回動する回動体と、この回動体に連設されたつまみ部とを備え、このつまみ部の回動操作による回動体の回動に連動して前記規制部材が前後方向に移動するように規制部材の後端部を回動体に軸支してあり、さらに、前記切換機構が、前記回動体の近傍に設けられた板ばねと、前記つまみ部に当接して回動体の回動範囲を制限する制限部と、前記回動体に設けられこの回動体の回動に伴って前記板ばねに当接して弾性変形させる突起体とを備え、操作部材が前記第一姿勢と第二姿勢との間の姿勢をとるときに板ばねから突起体に加えられる付勢により回動体が回動し、操作部材が第一姿勢または第二姿勢のいずれかの姿勢に復帰するように構成してある（請求項２）。
【発明の効果】
【０００７】
請求項１および２に係る発明では、非常に優れた防犯効果をもつ引戸錠が得られる。すなわち、本発明の引戸錠では、引戸を施錠するためのラッチボルト、規制部材、操作部材および切換機構を全て引戸の内框内に収容するので、引戸錠を施錠状態としたときに、引戸の屋外側から引戸錠を目視することができず、従って、屋外側からの引戸の施錠箇所の把握を確実に防ぎ、これによって不正解錠を防ぐことができるので優れた防犯性能を発揮する。
【発明を実施するための最良の形態】
【０００８】
図１〜図８は本発明の一実施の形態に係る引戸錠を示し、図１〜図３は施錠状態、図４〜図６は解錠状態の引戸錠をそれぞれ示している。この実施の形態に係る引戸錠は、図２に示すように、一対の引戸（引違戸）を構成するサッシにおける召し合わせの外框１と内框２とに設けられている。なお、図２において、Ｇはサッシに嵌め込まれるガラスである。
【０００９】
以下、施錠状態の引戸錠の構成について図１〜図３を参照しながら説明する。まず、図２において、３は受穴であり、前記外框１の屋内側（図２において右側）の壁部４に設けられている。
【００１０】
一方、図２において、５はラッチボルトであり、前記受穴３に進入して係合した状態となっている。そして、このラッチボルト５は、図１にも示すように、屋外側に向かって前進する方向および屋内側に向かって後退する方向（図１および図２における左右方向）にのみ移動するようにラッチケース６によってガイドされている。なお、このラッチケース６は、後述する座ケース２６の前側に取り付けられている。
【００１１】
また、図２に示すように、ラッチボルト５の一側面（図２における下側の面）の先端部には、外框との衝突回避用のガイド部（斜面）７が設けられているとともに、他側面、すなわち前記ガイド部７の裏側の面（図２における上側の面）には受穴３に係止する係止部（直線部）８が形成されている。
【００１２】
図１および図２において、９はラッチボルト５の前進限界位置を規制する規制部材としてのジョイントピースであり、このジョイントピース９とラッチボルト５は、それぞれが単独に所定範囲内のスライド可能な状態で連結されている。詳しくは、前記ジョイントピース９の前部（図１において左側の部分）は、ラッチボルト５後部（図１において右側の部分）に形成された凹入部１０内に挿入されている。そして、ジョイントピース９の本体部１１には前後方向に延びる長孔１２が設けられており、この長孔１２と前記凹入部１０とを挿通するようにジョイントピース９に固定されたジョイントピン１３によって、ラッチボルト５はジョイントピース９に連結されている。そのため、前記ラッチボルト５の屋外側に向かって進退する方向の移動は、ジョイントピン１３が長孔１２を挿通する範囲に限定され、ラッチボルト５の前進限界位置がジョイントピース９によって規制されることになる。
【００１３】
また、図１および図２において、１４はラッチボルト５を常に屋外側（図１および図２において左側）に前進する方向に付勢するばねであり、このばね１４の前端は前記ラッチボルト５の凹入部１０の底部１５に当接し、後端は、ジョイントピース９の本体部１１の前面に当接している。なお、前記凹入部１０は、縦断面視において、開口側（図１において右側）から底側（図１において左側）に向かうに従って狭まった形状を有し、底部１５の周壁がばね１４前端の外周面に沿うように形成されている。また、前記ジョイントピース９の本体部１１の前側にばね１４の後端を保持する保持部１６が形成されており、この保持部１６はばね１４の後端の内部に挿入されている。
【００１４】
図１および図２において、１７は前記ジョイントピース９を前後方向（図１および図２における左右方向）に移動させて前記ラッチボルト５の前進限界位置を調整する操作部材である。この操作部材１７は、ジョイントピース９の移動方向に垂直な方向の軸まわりに回動する回動体１８と、この回動体１８に連設されたつまみ部１９とを備えている。
【００１５】
なお、前記回動体１８は、図１に示すように、側面視が円形状で中空の部材であり、さらに、図２にも示すように、回動体１８の中央を挿通する軸部材２０を回転軸として回動するように構成されている。また、図１に示すように、前記つまみ部１９の回動操作による回動体１８の回動に連動して前記ジョイントピース９が前後方向に移動するようにジョイントピース９の後端部をジョイントピン２１によって回動体１８に軸支してある。なお、図２に示すように、前記ジョイントピース９は回動体１８の内部に挿入され、回動体１８の外周部には、ジョイントピース９の存在に関係なく回動体１８が回動可能なようにするための切り欠き（図示していない）が設けられている。
【００１６】
図１および図２において、２２は前記回動体１８の近傍に設けられた板ばねであり、回動体１８をその左右両側から挟む位置に二つ設けられている。また、図１において、２３，２４は前記つまみ部１９に当接して回動体１８の回動範囲を制限する制限部であり、図１および図２において、２５は前記回動体１８からその側方（図２において上下方向）に突出する状態で設けられこの回動体１８の回動に伴って前記板ばね２２，２２に当接して弾性変形させる突起体である。そして、前記板ばね２２，２２と、制限部２３，２４と、突起体２５，２５とによって、前記操作部材１７を第一姿勢および第二姿勢に切り換える切換機構が構成されている。
【００１７】
詳しくは、前記板ばね２２，２２と前記回動体１８を挿通する軸部材２０とは、図１および図２に示すように、内框２に取り付けられた座ケース２６によって保持されている。この座ケース２６は、図２に示すように、内框２に対してその屋内側から内部に挿入された状態で取り付けられている。この取り付けは、図２に示すように、座ケース２６の適宜の位置に突起２６ａ，２６ａを設け、内框２の屋内側の開口部２ａから座ケース２６を内框２内に圧入し、前記突起２６ａ，２６ａを開口部２ａの周縁に係止させることによって行われている。そのため、座ケース２６は適宜の弾性を有する合成樹脂等の材料により成形することが望ましい。
【００１８】
また、座ケース２６は、図１に示すように、前記回動体１８を収容する収容部２７を備え、この収容部２７の屋内側の壁部２８の一部に開口部２９が設けられ、この開口部２９から屋内側に前記つまみ部１９が露出している。
【００１９】
そして、図１に示すように、前記開口部２９の上縁および下縁が前記制限部２３，２４となっており、つまみ部１９が制限部２４に当接した状態のときに操作部材１７は第一姿勢をとる。このとき、図１および図２に示すように、ジョイントピース９はその可動範囲において最も前側に位置した状態となり、これに伴い、前進限界位置が最も前側に移動したラッチボルト５は、図２に示すように、内框２の屋外側に突出して前記受穴３内に進入した係合状態となる。すなわち、操作部材１７が第一姿勢をとったときに引戸錠は施錠状態となる。
【００２０】
このとき、図１に示すように、つまみ部１９は制限部２４に当接しているので、回動体１８の図１における右回りの回動が制限され、さらに、回動体１８と一体的に設けられた突起体２５，２５が板ばね２２，２２により付勢されており、これにより、板ばね２２の付勢に抗しなければ回動体１８を図１における左回りに回動させることができないようになっている。すなわち、操作部材１７の第一姿勢は安定した状態で維持される。
【００２１】
また、図３に示すように、操作部材１７が第一姿勢をとり引戸錠が施錠状態となったときに前記回動体１８の外周面において前記開口部２９から屋内側に露出する部位に表示部３０を設けてあり、この表示部３０によって引戸錠が施錠状態であることを表示するように構成されている。なお、表示部３０に表示されるのは、例えば、「閉」という文字でもよいし、その他の種々の図柄等でもよい。
【００２２】
そして、図４に示すように、前記つまみ部１９を操作して制限部２３に当接させると、操作部材１７は第二姿勢をとる。このとき、図４〜図６に示すように、ジョイントピース９はその可動範囲において最も後側に位置した状態となり、これに伴い、前進限界位置が最も後側に移動したラッチボルト５は、前記内框２内に後退して受穴３内への進入が不可能な状態となる。すなわち、操作部材１７が第二姿勢をとったときに引戸錠は開錠状態となる。
【００２３】
ここで、このとき、図４に示すように、つまみ部１９は制限部２３に当接しているので、回動体１８の図４における左回りの回動が制限されている。さらに、このとき、図４に示すように、回動体１８と一体的に設けられた突起体２５，２５は板ばね２２，２２を乗り越えて下側に移動し、この位置でそれぞれ板ばね２２，２２から付勢を受け、これにより、板ばね２２の付勢に抗しなければ回動体１８を図４における右回りに回動させることができないようになっている。すなわち、操作部材１７の第二姿勢も安定した状態で維持される。
【００２４】
また、図６に示すように、操作部材１７が第二姿勢をとり引戸錠が開錠状態となったときに前記回動体１８の外周面において前記開口部２９から屋内側に露出する部位に表示部３１を設けてあり、この表示部３１によって引戸錠が開錠状態であることを表示するように構成されている。なお、表示部３１に表示されるのは、例えば、「開」という文字でもよいし、その他の種々の図柄等でもよい。
【００２５】
上述したように、操作部材１７の第一姿勢と第二姿勢とは安定した状態で維持されるが、それに加え、操作部材１７が第一姿勢と第二姿勢との間の姿勢をとったときには、板ばね２２，２２から突起体２５，２５に加えられる付勢により回動体１８が回動し、操作部材１７が第一姿勢または第二姿勢のいずれかの姿勢に復帰する。すなわち、操作部材１７が第一姿勢と第二姿勢との間の姿勢をとったときには、突起体２５，２５が板ばね２２，２２を弓なりに大きく変形させることになり、板ばね２２，２２のスプリングバック効果によって突起体２５，２５が後側へと付勢を受け、これにより、つまみ部１９が制限部２３または２４のいずれかに当接するまで回動体１８が回動することになる。
【００２６】
また、上述したように、ラッチボルト５に外框との衝突回避用のガイド部７を設けているので、例えば、図７および図８に示すように、引戸を閉じる前に前記操作部材１７に第一姿勢をとらせてラッチボルト５を屋外側に突出させても、引戸を閉じるときに外框１が前記ガイド部７に当接することによってラッチボルト５が内框２内に後退し、引戸を閉じる操作が妨げられることがなく、また、引戸錠および引戸の破壊が生じることもない。
【００２７】
しかし、図２に示すように、操作部材１７を第一姿勢にしてラッチボルト５を一旦受穴３内に進入させると、この受穴３にラッチボルト５が係止するので、操作部材１７を第二姿勢に切り換えてラッチボルト５を内框２内に後退させない限り、引戸を開けることができなくなる。
【００２８】
上記の構成からなる引戸錠では、図２に示すように、ラッチボルト５と、ジョイントピース９と、操作部材１７と、前記切換機構とを全て内框２内に収容しているので、引戸錠を施錠状態としたときには、引戸錠を屋外側から目視することは不可能である。従って、屋外側から引戸の施錠箇所を把握することができず、これによって不正解錠を防ぐことができるので優れた防犯性能が発揮されることになる。
【００２９】
なお、本発明の引戸錠は上記実施の形態に限られず、種々に変形して実施することができる。具体的には、座ケース２６のフランジ部２６ｂ（図１参照）をねじ止めによって内框２に固定し、これにより、座ケース２６を内框２に取り付けてもよい。この場合、前記フランジ部２６ｂの大きさをねじ止めができる程度にしておく必要がある。
【図面の簡単な説明】
【００３０】
【図１】本発明の一実施の形態に係る施錠状態における引戸錠の構成を概略的に示す縦断面図である。
【図２】施錠状態における前記引戸錠の構成を概略的に示す横断面図である。
【図３】施錠状態における前記引戸錠の構成を概略的に示す正面図である。
【図４】解錠状態における前記引戸錠の構成を概略的に示す縦断面図である。
【図５】解錠状態における前記引戸錠の構成を概略的に示す横断面図である。
【図６】解錠状態における前記引戸錠の構成を概略的に示す正面図である。
【図７】引戸が開いている状態で操作部材に第一姿勢をとらせたときの前記引戸錠の構成を概略的に示す縦断面図である。
【図８】引戸が開いている状態で操作部材に第一姿勢をとらせたときの前記引戸錠の構成を概略的に示す横断面図である。
【符号の説明】
【００３１】
１  外框
２  内框
３  受穴
５  ラッチボルト
９  規制部材
１７  操作部材
【図１】
2006052577.tif 000003
【図２】
2006052577.tif 000004
【図３】
2006052577.tif 000005
【図４】
2006052577.tif 000006
【図５】
2006052577.tif 000007
【図６】
2006052577.tif 000008
【図７】
2006052577.tif 000009
【図８】
2006052577.tif 000010